(57)【要約】      （修正有）【課題】小規模製材設備で対応可能な、表側と裏側の板部材の貼り合わせ方向を反対にして交差するようにした構造合板パネルを提供する。【解決手段】帯状の小幅板材１側面の木端側に設けた凹凸結合する形態の実加工部を接合して構成した表面側部材Ａと裏面側部材Ｂを張り合わせて一枚の構造合板パネルＧＰ１，ＧＰ２を構成するのに、該構造合板パネルの表面側部材Ａと裏面側部材Ｂとの小幅板材１の並べ姿勢方向が反対になるように交差させて接合させた表裏板部材を交差接合してなる構造合板パネル。【選択図】図１
0003143451.tif 000002
【実用新案登録請求の範囲】
【請求項１】
帯状の小幅板材側面の木端側を実加工して一対の雄実と雌実を形成し、該小幅板材の実加工部を接合して方形状の平板状の構造合板パネル形態に構成したものを二枚、表面側部材Ａと裏面側部材Ｂにして張り合わせて一枚の構造合板パネルにするのに、該構造合板の表面側部材Ａと裏面側部材Ｂとの小幅板材の方向が反対になるように交差させて接着接合させて表裏板部材を交差接合して方形状の構造合板パネルに形成すると共に、該構造合板パネルの隣接する二片に雄実を形成し、他の二片に雌実を形成したことを特徴とする表裏板部材を交差接合してなる構造合板パネル。
【請求項２】
構造合板の表面側部材Ａを作るのに、小幅板材を構造合板の辺に対して斜め方向に配置して、木端側を斜めに張り合わせた斜行板に構成し、次に、前記構造合板の裏面側部材Ｂを作るのに、上記表面側部材Ａを作るのと同じ小幅板材で、表面側部材Ａと斜めの角度と斜めの方向は同じにして同様な貼り合わせ構成で表面側部材Ａと同様なサイズの斜行板に構成し、そして、合板サイズと同様に出来上がった、表面側部材Ａと裏面側部材Ｂの斜行板を表側と裏側の斜めの角度が反対になるように交差させて接着接合させ表裏斜行板を接合してなることを特徴とする請求項１に記載の表裏板部材を交差接合してなる構造合板パネル。
【請求項３】
小幅板材を杉、桧等からなる板材で構成し、該板材の厚さ１０ミリ〜４０ミリ位、巾６０ミリ〜１２０ミリ位に構成し、合板パネルサイズは一辺の長さが３００〜９００ミリの方形状に構成したことを特徴とする請求項１または請求項２に記載の表裏板部材を交差接合してなる構造合板パネル。
【請求項４】
斜行板に構成する小幅板材の中央に位置する実加工部接合面を方形角部の対角線上に位置するように配置して上下に振り分け接続するように構成したことを特徴とする請求項２に記載の表裏板部材を交差接合してなる構造合板パネル。
【請求項５】
斜行板に構成する小幅板材の中央に位置する実加工部接合面を方形角部の対角線上に位置するように配置して上下に振り分け接続するように構成し、構造合板パネルの隣接する二片に形成した雄実に対して、表側において斜行板の方向を、右肩下がり傾向に形成したパターン１のものと、右肩上がり傾向に形成したパターン２のものに形成し、パターン１のものと、パターン２のものを適宜に組み合わせて住宅用材料に構成できるようにしたことを特徴とする請求項１から請求項４のいずれかに記載の表裏板部材を交差接合してなる構造合板パネル。
【請求項６】
構造合板パネルの隣接する二片に形成した雄実に対して、平行板として表側は縦方向に裏側は横方向に平行に小幅板材がなるように構成し、小幅板材を杉、桧等からなる板材で構成し、該板材の厚さ１０ミリ〜４０ミリ位、巾６０ミリ〜１２０ミリ位に構成し、合板サイズは合板パネルサイズは一辺の長さが３００〜９００ミリの方形状に構成したことを特徴とする請求項１に記載の表裏板部材を交差接合してなる構造合板パネル。
【請求項７】
構造合板パネルの隣接する二片に形成した雄実に対して、表側において平行板の方向を、横方向に形成したパターン３のものと、縦方向に形成したパターン４のものに形成し、パターン３のものと、パターン４のものを適宜に組み合わせて住宅用材料に構成できるようにしたことを特徴とする請求項６に記載の表裏板部材を交差接合してなる構造合板パネル。
【考案の詳細な説明】
【技術分野】
【０００１】
本考案は、表側と裏側の板部材の貼り合わせ方向を反対にして交差するようにして縦横直交させた平行板にしたもの、或いは斜めの角度が正反対になる交差姿勢の斜行板にしてあることで横からの荷重がかかった場合に、荷重を面全体で受けることができる表裏板部材を交差接合してなる住宅用構造合板に関するものである。
【背景技術】
【０００２】
現在の日本の山林の荒廃は適切な間伐が行われてないところに起因する。適切な間伐を行いながら適木を育てていく事が、日本の山林にとっては重要なことである。
随時に間伐を行えば、植林、伐採のサイクルの回転が良くなり荒廃した山林が少なくなる。本考案で説明する実施例製品の平行板や斜行板は杉、桧の間伐材を有効利用して作っている。製品の巾は間伐材の未口径に合わせ７５ミリ位からとして、又長さは短いところで２０センチくらいで山での間伐で山元に捨てられるような短尺な長さの丸太も使用できるように工夫している。地球環境が大きな問題となっている昨今、この製品の平行板や斜行板は地球環境にも優しく、日本の山林にも有益である。また無垢材を使用しているので、シックハウス症候群に対しても有効である。従来は、これらの斜行板として例えば特許文献１に示されるものがあり、本考案者出願に係る特許文献２に示されるものがある。
【特許文献１】特許第３７２９４１０号公報
【特許文献２】実用新案登録第３１４１０８５号公報
【考案の開示】
【考案が解決しようとする課題】
【０００３】
上記特許文献１に示される斜行型単板積層材の製造方法は、構造がしっかりしたものが製造されるが、木材をシート状にスライスして張り合わせていく形態のもので大量生産設備を要しないと生産効率が上がらないことや、製造コストが高くなる恐れがあるものであり小規模製材設備では採用がしにくい面があると思われる。
【０００４】
本考案が前述の状況に鑑み、解決しようとするところは、既存の小規模製材設備で対応が可能である表裏板部材を交差接合してなる住宅用構造合板を提供する点にある。
また、住宅の施工能力面では、現在の住宅建築の壁材に小幅板の竪張り、横張りがあるが、職人が一枚一枚手張りをしているので多くの手間がかかっている。特許文献２のものはこれらを解決すべく創案したものであるが、これを更に本考案に説明する平行板や斜行板で構成する構造合板パネルを壁面に使用すれば、職人の手張りの手間を大幅に省ける。
また、これらの平行板や斜行板の厚さを４０ミリくらいに厚くすれば床材としても、無垢材としても使用できる。更に木製ドア、引き戸、建具材としても使用できるものである。
そして、本考案の構造合板パネルによれば、平行板や斜行板の向きを異ならせたパターン１のものと、パターン２のものを用意してこれらを適宜に組み合わせ接続することにより任意な意匠形態のものを得ることができる。  
【課題を解決するための手段】
【０００５】
本考案は、前述の課題解決のために、第一に、帯状の小幅板材側面の木端側を実加工して一対の雄実と雌実を形成し、該小幅板材の実加工部を接合して方形状の平板状の構造合板パネル形態に構成したものを二枚、表面側部材Ａと裏面側部材Ｂにして張り合わせて一枚の構造合板パネルにするのに、該構造合板の表面側部材Ａと裏面側部材Ｂとの小幅板材の方向が反対になるように交差させて接着接合させて表裏板部材を交差接合して方形状の構造合板パネルに形成すると共に、該構造合板パネルの隣接する二片に雄実を形成し、他の二片に雌実を形成したことを特徴とする表裏板部材を交差接合してなる構造合板パネルにしたものである。
【０００６】
これにより、現在の住宅建築は壁面内に筋違いを入れて一本の木で横荷重を線で受けるものであるに対して、この表裏板部材を交差接合してなる構造合板パネルは横からの荷重を面全体で受けることができるもので構造合板パネルの巧みな組み合わせで構成でコスト安価に強度を保つことができる。
【０００７】
第２に、構造合板の表面側部材Ａを作るのに、小幅板材を構造合板の辺に対して斜め方向に配置して、木端側を斜めに張り合わせた斜行板に構成し、次に、前記構造合板の裏面側部材Ｂを作るのに、上記表面側部材Ａを作るのと同じ小幅板材で、表面側部材Ａと斜めの角度と斜めの方向は同じにして同様な貼り合わせ構成で表面側部材Ａと同様なサイズの斜行板に構成し、そして、合板サイズと同様に出来上がった、表面側部材Ａと裏面側部材Ｂの斜行板を表側と裏側の斜めの角度が反対になるように交差させて接着接合させ表裏斜行板を接合してなることを特徴としている。
上記のように斜めの角度が正反対になる交差姿勢の斜行板にしてあることで、横からの荷重がかかった場合に、荷重を斜行板の面全体で受けることができて更に強度的に有利な表裏板部材を交差接合してなる構造合板パネルを提供することができる。
【０００８】
第３に、小幅板材を杉、桧等からなる板材で構成し、該板材の厚さ１０ミリ〜４０ミリ位、巾６０ミリ〜１２０ミリ位に構成し、合板パネルサイズは一辺の長さが３００〜９００ミリの方形状に構成したことを特徴としてあるので、間伐材等の有効活用を図ることができると共に既存の製材設備を活用して表裏板部材を交差接合してなる構造合板パネルを安価に作成することができる。
【０００９】
第４に、斜行板に構成する小幅板材の中央に位置する実加工部接合面を方形角部の対角線上に位置するように配置して上下に振り分け接続するように構成したことを特徴とし、この斜行板構成で構成簡単にした表裏板部材を交差接合してなる構造合板パネルを意匠性良くして安価に作成することができる。
【００１０】
第５に、斜行板に構成する小幅板材の中央に位置する実加工部接合面を方形角部の対角線上に位置するように配置して上下に振り分け接続するように構成し、構造合板パネルの隣接する二片に形成した雄実に対して、表側において斜行板の方向を、右肩下がり傾向に形成したパターン１のものと、右肩上がり傾向に形成したパターン２のものに形成し、パターン１のものと、パターン２のものを適宜に組み合わせて住宅用材料に構成できるようにしたことを特徴とし、これにより任意の模様に意匠性良く接続して組み合わせることができる構造合板パネルを提供することができる。
【００１１】
第６に、構造合板パネルの隣接する二片に形成した雄実に対して、平行板として表側は縦方向に裏側は横方向に平行に小幅板材がなるように構成し、小幅板材を杉、桧等からなる板材で構成し、該板材の厚さ１０ミリ〜４０ミリ位、巾６０ミリ〜１２０ミリ位に構成し、合板サイズは合板パネルサイズは一辺の長さが３００〜９００ミリの方形状に構成したことを特徴とし、この平行板構成で構成簡単にした表裏板部材を交差接合してなる構造合板パネルを安価に作成することができる。
【００１２】
第７に、構造合板パネルの隣接する二片に形成した雄実に対して、表側において平行板の方向を、横方向に形成したパターン３のものと、縦方向に形成したパターン４のものに形成し、パターン３のものと、パターン４のものを適宜に組み合わせて住宅用材料に構成できるようにしたことを特徴とし、これにより任意の模様に意匠性良く接続して組み合わせることができる構造合板パネルを提供することができる。
【考案の効果】
【００１３】
本考案によれば、表側と裏側の板部材の貼り合わせ方向を反対にして交差するようにして縦横直交させた平行板にしたもの、或いは斜めの角度が正反対になる交差姿勢の斜行板にしてある表裏板部材を交差接合してなる構造合板パネルを構成簡単にして提供でき、横からの荷重がかかった場合にも荷重を住宅用構造合板を構成する板部材の面全体で受けることができるので強度的にも強く、これらを間伐材等の利用も可能にしてコスト安価に提供できる効果がある。
【００１４】
そして、これらの構造合板パネルは、任意の模様に意匠性良く接続して組み合わせることができるので、天井材、壁材、床材などに使用でき、更に木製ドア、引き戸、建具材、テーブルの天板、家具材の横板、等としても使用できるものである。
殊にテーブルの天板に使用すれば、現在市販されている普通の一枚板よりも強度が強いものが得られる利点がある。
【考案を実施するための最良の形態】
【００１５】
以下、実施例に関する図面に基づいて本考案を詳細に説明する。
本考案は帯状の小幅板材１側面の木端側を凹凸結合する形態の実加工して一対の雄実１Ａと雌実１Ｂを形成し、該小幅板材１の実加工部１Ａ、１Ｂを接合して一辺が約４５センチの正方形状の平板状の構造合板形態に構成したものを二枚用意しておき、これを表面側部材Ａと裏面側部材Ｂにして張り合わせて一枚の構造合板パネルＧＰを構成するのに、該構造合板ＧＰの表面側部材Ａと裏面側部材Ｂとの小幅板材１の並べ姿勢方向が反対になるように交差させて接着剤で接合させた表裏板部材を交差接合してなる構造合板パネルを完成したものである。
【実施例１】
【００１６】
図１〜図３は、本考案の第１実施例である、斜行板を交差させた構造合板を示しているものである。図１に示す杉、桧等からなる板材で、該板材の厚さ１０ミリ〜４０ミリ位、巾６０ミリ〜１２０ミリ位に構成した帯状の小幅板材１側面の木端側を、図１０に図示するように凹凸に実加工して一対の雄実１Ａと雌実１Ｂを形成し、該小幅板材の実加工部１Ａ、１Ｂを接合して正方形一辺の長さが４５０ミリ程度の平板状の構造合板パネル形態に構成するものであり、該構造合板ＧＰの表面側部材Ａを作るのに、前記小幅板材１を構造合板周囲の辺に対して斜め方向に配置して、木端側を斜めに張り合わせた方形の斜行板に構成し、次に、前記構造合板ＧＰの裏面側部材Ｂを作るのに、上記表面側部材Ａを作るのと同じ小幅板材１で、表面側部材Ａと斜めの角度と斜めの方向は同じにして同様な貼り合わせ構成で表面側部材Ａと同様なサイズの方形の斜行板に構成する。
本考案者においては、上記小幅板材１を厚さ２０ミリ位、巾７５ミリ位のもので、図８に説明する本実加工を採用して接合して、一辺の長さが４５０ミリの平板状の構造合板パネルに構成して実験テストをした。
【００１７】
斜めに張り合わせるのには、予め小幅板材１の幅に合わせた多数本の斜め線を線引きしたゲージ板部材を水平に置き、その上に小幅板材１を斜め線に合わせながら並べて木端側を斜めに張り合わせていくと斜め方向が揃った斜行板が出来上がる。この方法は工芸的手法であるが少量生産の時には安価で確実にできる。大量生産が必要になる時には専用の斜行板製造機を用意しておくと便利である。このようにして、合板パネル形態に出来上がった、表面側部材Ａと裏面側部材Ｂの斜行板を、表側と裏側の斜めの角度が反対になるように交差させて接着材で接合させ表裏の斜行板を接合することにより表裏板部材が交差接合された構造合板パネルとすることができる。
【００１８】
そして、該構造合板パネルＧＰの隣接する二片に雄実ＰＡを形成し、他の二片に雌実ＰＢを形成して、他の合板パネルＧＰを組み合わせて接続展開できるようにする。
図９に本実加工継手の要部拡大を示すように、雄実ＰＡの小口は上下でＬ寸法だけ段違いに形成されており、合板パネルＧＰの表面、裏面の把握と、合板パネルＧＰの接続時に合板パネルＧＰの膨張、収縮の逃げを裏面側でとるようにしてある。
この雄実ＰＡと雌実ＰＢを形成するに際しては、削り加工が伴うので、表面側部材Ａと裏面側部材Ｂの斜行板の大きさは、この削り加工代の寸法を加味した大きさで、仕上がり寸法より大きめのものに形成しておき、然る後に図のように雄実ＰＡと雌実ＰＢの加工や各片の仕上げ加工するものである。
【００１９】
この場合、斜行板に構成する小幅板材１の中央に位置する実加工部接合面Ｘを方形角部Ｙ、Ｙの対角線上に位置するように配置して位置決め接続し、各小幅板材１を上下に振り分け接続するように構成すると意匠バランスが良い感じとなり美観に優れた感覚を得ることができる。さらに、斜行板に構成する小幅板材の中央に位置する実加工部接合面を方形角部の対角線上に位置するように配置して上下に振り分け接続するように構成し、構造合板パネルの隣接する二片に形成した雄実ＰＡに対して、表側において斜行板の方向を、右肩下がり傾向に形成したパターン１のものＧＰ１と、右肩上がり傾向に形成したパターン２のものＧＰ２に形成し、パターン１のものＧＰ１と、パターン２のものＧＰ２を適宜に組み合わせて住宅用材料に構成できるようにすると、図２〜図７に示すように各種の組み合わせパターンが得られるものである。
【００２０】
図８は、本考案の第２実施例である、平行板を交差させた構造合板パネルを示しているものである。小幅板材１の材質、サイズや木端側の実加工は上記第一実施例と同様である。そして図８（Ａ）に示すように、構造合板パネルの隣接する二片に形成した雄実に対して、平行板として表側は横方向に裏側は縦方向に平行に小幅板材がなるように構成し、小幅板材を杉、桧等からなる板材で構成し、該板材の厚さ１０ミリ〜４０ミリ位、巾６０ミリ〜１２０ミリ位に構成し、合板パネルサイズは一辺の長さが４５０ミリの方形状に構成し表裏板部材を交差接合してなる構造合板パネルである。
そしてこのものも、構造合板パネルの隣接する二片に形成した雄実に対して、表側において平行板の方向を、図８（Ａ）に示すように、横方向に形成したパターン３のものと、図８（Ｂ）に示すように、縦方向に形成したパターン４のものに形成し、パターン３のものと、パターン４のものを適宜に組み合わせて住宅用材料に構成できるようにしてあるものである。
【産業上の利用可能性】
【００２１】
本考案の構造材は、天井材、壁材、床材などに使用でき、更に木製ドア、引き戸、建具材テーブルの天板、家具材の横板、等としても使用できるものであり、木製品の平板部材として各部所に活用できる。また、合板パネルサイズは一辺の長さが４５０ミリの方形状に構成したもので説明したが３００〜９００ミリの範囲サイズにしたものに加工して利用できるものである。また、パターン１、パターン２、パターン３、パターン４のものをそれぞれ組み合わせて利用することも可能である。
【図面の簡単な説明】
【００２２】
【図１】本考案の第１実施例である斜行板を交差させた構造合板パネルの単板を示し、パターン１およびパターン２の板表と裏を示す平面図と板の継手断面図である。
【図２】組み合わせパターン１を示す組み付け前の斜視図と組み付け後の斜視図である。
【図３】図２の組み付け後の平面図である。
【図４】組み合わせパターン２を示す組み付け前の斜視図と組み付け後の斜視図である。
【図５】図４の組み付け後の平面図である。
【図６】組み合わせパターン３を示す組み付け後の平面図である。
【図７】組み合わせパターン４を示す組み付け後の平面図である。
【図８】本考案の第２実施例である平行板を交差させた構造合板を示し、（Ａ）はパターン３の表面側部材の正面図、（Ｂ）はパターン４の表面側部材の正面図である。
【図９】構造合板パネルの本実加工継手の要部拡大図である。
【図１０】小幅板材１側面の木端側を、実加工して接合する各種実施例を示す要部断面図である。
【符号の説明】
【００２３】
１  小幅板材
１Ａ  雄実
１Ｂ  雌実
Ａ  表面側部材
Ｂ  裏面側部材
ＧＰ  構造合板
ＰＡ  雄実
ＰＢ  雌実
【図１】
0003143451.tif 000003
【図２】
0003143451.tif 000004
【図３】
0003143451.tif 000005
【図４】
0003143451.tif 000006
【図５】
0003143451.tif 000007
【図６】
0003143451.tif 000008
【図７】
0003143451.tif 000009
【図８】
0003143451.tif 000010
【図９】
0003143451.tif 000011
【図１０】
0003143451.tif 000012